(57)【要約】      （修正有）【課題】斬新な照明を行うことが可能な計器装置を提供する。【解決手段】目盛６を備えた文字板３と、目盛６を指示するとともに文字板３の前方に設けられる指針２と、文字板３の背後に位置し指針２に光を供給し指針２を発光させる光源１０と、指針２の前方に設けられるカバー１３とを備え、カバー１３を介して目盛６と指針２とを視認する計器装置において、カバー１３の指針２の回転中心部２ｂに対応する部分に反射部材１４を設け、文字板３に反射部３ａを設け、指針２からの光と反射部材１４で反射拡散させた指針２からの光とで反射部３ａを照明するものである。【選択図】  図２
2004325299.tif 000002
【特許請求の範囲】
【請求項１】
目盛を備えた文字板と、前記目盛を指示するとともに前記文字板の前方に設けられ発光する指針と、前記指針の前方に設けられるカバーとを備え、このカバーを介して前記目盛と前記指針とを視認する計器装置において、前記カバーの前記指針の回転中心部に対応する部分に反射部材を設け、前記文字板及び、あるいはその近傍に反射部を設け、前記指針からの光と前記反射部材で反射拡散させた前記指針から光とで前記反射部を照明することを特徴とする計器装置。
【請求項２】
目盛を備えた文字板と、前記目盛を指示するとともに前記文字板の前方に設けられる指針と、前記文字板の背後に位置し前記指針に光を供給し前記指針を発光させる光源と、前記指針の前方に設けられるカバーとを備え、このカバーを介して前記目盛と前記指針とを視認する計器装置において、前記カバーの前記指針の回転中心部に対応する部分に反射部材を設け、前記文字板及び、あるいはその近傍に反射部を設け、前記指針からの光と前記反射部材で反射拡散させた前記指針からの光とで前記反射部を照明することを特徴とする計器装置。
【請求項３】
目盛を備えた文字板と、前記目盛を指示するとともに前記文字板の前方に設けられ発光する指針と、前記指針の前方に設けられるカバーとを備え、このカバーを介して前記目盛と前記指針とを視認する計器装置において、前記指針の回転中心部に反射部材を設け、前記文字板及び、あるいはその近傍に反射部を設け、前記指針からの光と前記反射部材で反射拡散させた前記指針からの光とで前記反射部を照明することを特徴とする計器装置。
【請求項４】
目盛を備えた文字板と、前記目盛を指示するとともに前記文字板の前方に設けられる指針と、前記文字板の背後に位置し前記指針に光を供給し前記指針を発光させる光源と、前記指針の前方に設けられるカバーとを備え、このカバーを介して前記目盛と前記指針とを視認する計器装置において、前記指針の回転中心部に反射部材を設け、前記反射部材側に傾斜した前記文字板及び、あるいはその近傍に反射部を設け、前記指針からの光と前記反射部材で反射拡散させた前記指針からの光とで前記反射部を照明することを特徴とする計器装置。
【請求項５】
前記反射部を前記反射部材側に傾斜させたことを特徴とする請求項１から４のいずれかに記載の計器装置。
【請求項６】
前記反射部をすり鉢状としたことを特徴とする請求項５に記載の計器装置。
【請求項７】
前記すり鉢状の反射部を前記文字板の目盛部分に対応する位置に設けたことを特徴とする請求項６に記載の計器装置。
【請求項８】
前記カバーは光透過率を低くしたことを特徴とする請求項１から４のいずれかに記載の計器装置。
【発明の詳細な説明】
【０００１】
【発明の属する技術分野】
本発明は、例えば自動車等の車両に搭載される計器装置に関し、特に、その照明構造に特徴を有する計器装置に関する。
【０００２】
【従来の技術】
従来、この種の計器装置として、例えば、アナログ式の指示計器を備えており、この指示計器は表示板と指針とを備えている。この表示板には指針の回動位置に対応して目盛や数字などが形成されている。この表示板は透光性の基板に目盛や文字などの表示を行う部分のみを残して他の部分は黒色の印刷などによって遮光されている。そして、表示板の裏側に設けられた光源によって前記目盛や数字などの表示が透過照明されるものである。この指示計器の前面に暗色系の着色処理を施した半透明の保護カバーを設けてある。この保護カバーは指示計器を保護するとともに、外部からの光の入射量あるいは内部からの光量を減ずるものである。そして、明るい発光輝度を有する指示計器の表示光は保護カバーによって減光されるので、保護カバー内部を見せることなく目盛や文字などの表示と指針のみが暗闇に浮き出て表示されるものであった（例えば、特許文献１参照）。
【０００３】
【特許文献１】
特開平７−９８２３５号公報（図１）
【０００４】
【発明が解決しようとする課題】
しかしながら、従来の計器装置の場合、目盛や文字などの表示と指針のみが暗闇に浮き出て表示されるものであり、表示の照明のおもしろみや斬新さに欠けるものであった。
【０００５】
そこで、本発明は、この点に鑑みてなされたもので、その主な目的は、斬新な照明を行うことが可能な計器装置を提供するものである。
【０００６】
【課題を解決するための手段】
本発明は前記目的を達成するため、目盛を備えた文字板と、前記目盛を指示するとともに前記文字板の前方に設けられ発光する指針と、前記指針の前方に設けられるカバーとを備え、このカバーを介して前記目盛と前記指針とを視認する計器装置において、前記カバーの前記指針の指針対応部分に反射部材を設け、前記文字板及び、あるいはその近傍に反射部を設け、前記指針からの光と前記反射部材で反射拡散させた前記指針から光とで前記反射部を照明するものである。
【０００７】
また、本発明は、目盛を備えた文字板と、前記目盛を指示するとともに前記文字板の前方に設けられる指針と、前記文字板の背後に位置し前記指針に光を供給し前記指針を発光させる光源と、前記指針の前方に設けられるカバーとを備え、このカバーを介して前記目盛と前記指針とを視認する計器装置において、前記カバーの前記指針の指針対応部分に反射部材を設け、前記文字板及び、あるいはその近傍に反射部を設け、前記指針からの光と前記反射部材で反射拡散させた前記指針からの光とで前記反射部を照明するものである。
【０００８】
また、本発明は、目盛を備えた文字板と、前記目盛を指示するとともに前記文字板の前方に設けられ発光する指針と、前記指針の前方に設けられるカバーとを備え、このカバーを介して前記目盛と前記指針とを視認する計器装置において、前記指針の回転中心部に反射部材を設け、前記文字板及び、あるいはその近傍に反射部を設け、前記指針からの光と前記反射部材で反射拡散させた前記指針からの光とで前記反射部を照明するものである。
【０００９】
また、本発明は、目盛を備えた文字板と、前記目盛を指示するとともに前記文字板の前方に設けられる指針と、前記文字板の背後に位置し前記指針に光を供給し前記指針を発光させる光源と、前記指針の前方に設けられるカバーとを備え、このカバーを介して前記目盛と前記指針とを視認する計器装置において、前記指針の回転中心部に反射部材を設け、前記文字板及び、あるいはその近傍に反射部を設け、前記指針からの光と前記反射部材で反射拡散させた前記指針からの光とで前記反射部を照明するものである。
【００１０】
また、本発明は、前記反射部を前記反射部材側に傾斜させたものである。
【００１１】
また、本発明は、前記反射部をすり鉢状としたものである。
【００１２】
また、本発明は、前記すり鉢状の反射部を前記文字板の目盛部分に対応する位置に設けたものである。
【００１３】
また、本発明は、前記カバーは光透過率を低くしたものである。
【００１４】
【発明の実施の形態】
本発明の計器装置は、目盛６を備えた文字板３と、目盛６を指示するとともに文字板３の前方に設けられ発光する指針２と、指針２の前方に設けられるカバー１３とを備え、カバー１３を介して目盛６と指針２とを視認する計器装置において、カバー１３の指針２の指針回転中部２ｂに対応する部分に反射部材１４を設け、文字板３に反射部３ａを設け、指針２からの光と反射部材１４で反射拡散させた指針２から光とで反射部３ａを照明するものである。このように構成したことにより、斬新な照明を行うことが可能な計器装置を提供することができる。
【００１５】
また、目盛６を備えた文字板３と、目盛６を指示するとともに文字板３の前方に設けられる指針２と、文字板３の背後に位置し指針２に光を供給し指針２を発光させる光源１０と、指針２の前方に設けられるカバー１３とを備え、カバー１３を介して目盛６と指針２とを視認する計器装置において、カバー１３の指針２の回転中心部２ｂに対応する部分に反射部材１４を設け、文字板３に反射部３ａを設け、指針２からの光と反射部材１４で反射拡散させた指針２からの光とで反射部３ａを照明するものである。このように構成したことにより、斬新な照明を行うことが可能な計器装置を提供することができる。
【００１６】
また、目盛６を備えた文字板３と、目盛６を指示するとともに文字板３の前方に設けられ発光する指針２と、指針２の前方に設けられるカバー１７とを備え、カバー１７を介して目盛６と指針２とを視認する計器装置において、指針２の回転中心部２ｂに反射部材１８を設け、文字板３に反射部３ａを設け、指針２からの光と反射部材１８で反射拡散させた指針２からの光とで反射部３ａを照明するものである。このように構成したことにより、斬新な照明を行うことが可能な計器装置を提供することができる。
【００１７】
また、目盛６を備えた文字板３と、目盛６を指示するとともに文字板３の前方に設けられる指針２と、文字板３の背後に位置し指針２に光を供給し指針２を発光させる光源１０と、指針２の前方に設けられるカバー１７とを備え、カバー１７を介して目盛６と指針２とを視認する計器装置において、指針２の回転中心部２ｂに反射部材１８を設け、文字板３に反射部３ａを設け、指針２からの光と反射部材１８で反射拡散させた指針２からの光とで反射部３ａを照明するものである。このように構成したことにより、斬新な照明を行うことが可能な計器装置を提供することができる。
【００１８】
また、反射部３ａを反射部材１４、１８側に傾斜させたものである。このように構成したことにより、斬新な照明を行うことが可能な計器装置を提供することができる。
【００１９】
また、反射部３ａをすり鉢状としたものである。このように構成したことにより、立体感のある表示板を備えた計器装置を提供することができる。
【００２０】
また、すり鉢状の反射部３ａを文字板３の目盛６部分に対応する位置に設けたものである。このように構成したことにより、立体感のある表示板を備えた計器装置を提供することができる。
【００２１】
また、カバー１３、１７は光透過率を低くしたものである。このように構成したことにより、立体感のある表示板を備えた計器装置を提供することができる。
【００２２】
また、反射部３ａは、文字板３に設けるのではなく、その近傍に設けたものでもよい。このように構成したことにより、立体感のある表示板を備えた計器装置を提供することができる。
【００２３】
【実施例】
図１、図２は本発明の第１実施例を示すもので、以下、本発明を例えば自動車の計器装置に適用した場合について説明する。
【００２４】
本実施例による計器装置１は、図１に示すように、指針２と、この指針２の背後に位置する文字板３と、この文字板３が露出するように開口部４を備えた合成樹脂からなる見返し板５とを備えている。
【００２５】
この計器装置１は、車両の速度を指示する指示計器であり、指針２は、棒状の指示部２ａと指針２の回転中心となる回転中心部２ｂとで構成されている。指示部２ａと回転中心部２ｂは透明な合成樹脂にて一体に形成されている。指示部２ａは文字板３の背後に設けた後述する光源からの光を受けて発光するものである。
【００２６】
文字板３には、目盛６と、この目盛６に対応した速度を表す数字や単位を表す文字７などが設けられている。この文字板３は、板状の透明な合成樹脂からなる基板に、目盛６や文字７などを除いて遮光性の黒色の塗料が印刷されている。目盛６や文字７の部分は光が透過するように形成されており、後述する光源の光を受けて、発光するものである。なお、目盛６や文字７の部分を光透過性の着色塗料にて形成してもよい。また、文字板３の見返し板４の開口部４に近接する周辺部分に、すり鉢状の反射部３ａが形成されている。この反射部３ａには、文字板３の目盛６が設けられている。なお、この反射部３ａの部分は、その地色が遮光性の銀色で着色されている。
【００２７】
文字板３の背後には、回路基板８が設けられ、さらに、この回路基板８の文字板３側には、文字板３の目盛６や文字７などを照明する第１の光源９と、指針２を照明する第２の光源１０とを備えている。また、回路基板８の背後に指針２を回転駆動する計器本体１１が設けられている。
【００２８】
回路基板８はガラスエポキシ樹脂からなる硬質の回路基板であり、その表面に図示しない電極パターンが形成されている。
【００２９】
第１、第２の光源９、１０は、本実施例では、表面実装型のチップ型で、それぞれ赤色と白色の光を発する発光ダイオード９、１０である。
【００３０】
計器本体１１は、本実施例では、交差コイル式の計器本体であるが、交差コイル式の計器本体に限定されるものではなく、例えば、ステッピングモータであってもよい。この計器本体１１から駆動軸１２が伸びており、この駆動軸１２が指針２の回転中心部２ｂに設けたボス部２ｃに圧入によって指針２と接続し、指針２を駆動するものである。そして、計器本体１１によって駆動された指針２の指示部２ａが文字板３の目盛６を指示するものである。
【００３１】
なお、図２中、１３は白色の合成樹脂からなる遮光壁であり、第１、第２の光源９、１０の照明色が混じり合わないようするとともに、第２の光源１０からの光をもれなく指針２に導くものである。
【００３２】
指針２は、第２の光源１０からの光を回転中心部２ｂの受光部２ｄで受け、この受けた光を反射面２ｅで指示部２ａ側に反射するものである。
【００３３】
指針２の前方には、光透過率の低いカバー１３が設けられている。このカバー１３は、黒色の合成樹脂からなり光透過率は３０パーセントである。このカバー１３は、文字板３の板面にほぼ並行な板状体である。このカバー１３の回転中心部２ｂに反射部材１４が設けられている。この反射部材１４は、その裏面にピン１５を備えており、このピン１５をカバー１３に設けた貫通孔１６に挿入後、熱によって溶かして変形させて固定してある。なお、固定方法は、この方法に限定されるものではなく、超音波を用いた溶着であってもよい。この反射部材１４は、その表面側は黒色であるが、その裏面側、つまり、指針２や文字板３側は白色である。なお、この白色は、塗料にて実現してもよいし、白色の合成樹脂を用いて実現してもよい。そして、前述した反射部３ａは、反射部材１４側に傾斜している。この反射部材１４は、指針２の回転中心部２ｂを計器装置１を視認する運転者から視認できないように、回転中心部２ｂを覆い隠すものである。
【００３４】
このように構成したことにより、第１、第２の光源９、１０が発する光によって、文字板３の目盛６や文字７と、指針２とが照明されて発光し、カバー１３を介して、文字板３の目盛６や文字７と、指針２とが視認されるものである。そして、指針２の回転中心部２ｂは、露出しており、第２の光源１０の光が、回転中心部２ｂから直接反射部３ａを照明するとともに、指針２の回転中心部２ｂから反射部材１４に照射され、反射部材１４にて、反射部３ａ方向に反射拡散され、反射部３ａを照明する。これによって、反射部材１４にて照明された反射部３ａがカバー１３を介して、立体的な造形を視認することができる。これによって、斬新な表示を行うことが可能な計器装置を提供することができる。また、反射部３ａを照明するのに、指針２の光を利用するので、構造が簡単で、コストを抑制することが可能となる。
【００３５】
なお、本実施例では、反射部３ａは反射部材１４からの光を良好に反射するために、銀色に着色されていたが、前記実施例に限定されるものではなく、計器装置１のデザインによって、その色を自由に設定してよい。また、反射部３ａはすり鉢状であるが、反射に良好な、例えば、白色、灰色、銀色などの明るい色であれば、反射部３ａは、隆起していない平面であっても良い。
【００３６】
また、本実施例では、反射部材１４は、一つの部品であったが、この構造に限定されるものではなく、反射部３ａに反射するものであれば、カバー１３に印刷によって、形成しても良い。この場合、２層の印刷層を形成し、この２層の印刷層のカバー１３側を、例えば黒色などの任意の色とし、他方、指針２側の印刷層を白色などの光を良好に反射する明るい色とすればよい。
【００３７】
次に、本発明の第２実施例を図３を用いて説明する。なお、前記第１実施例と同一及び相当箇所には、同一符号を付してその詳細な説明は省略する。
【００３８】
前記第１実施例のカバー１３は、文字板３の板面にほぼ並行な板状体であったが、本実施例のカバー１７は湾曲しており、前記第１実施例の反射部材１４を設けても、良好に反射部３ａに光を反射することが不可能であった。そこで、本実施例では、指針２の回転中心部２ｂ部分に円盤状の反射部材１８を設けたものである。反射部材１８は回転中心部２ｂに溶着などの任意の方法によって、固定されている。このように構成したことによって、第２の光源１０の光が、回転中心部２ｂから直接反射部３ａを照明するとともに、指針２の回転中心部２ｂから反射部材１８に照射され、反射部材１８にて、反射部３ａ方向に反射拡散され、反射部３ａを照明する。これによって、反射部材１８にて照明された反射部３ａがカバー１３を介して、計器装置１の表示を視認することができる。これによって、前記第１実施例と同様の作用効果を得ることができる。
【００３９】
なお、前記各実施例では、反射部３ａはすり鉢状であったが、前記各実施例に限定されるものではなく、文字板３の一部にのみ設けたものであってもよい。
【００４０】
次に本発明の第３実施例を、図４を用いて説明する。なお、前記各実施例と同一及び相当箇所には同一符号を付して、その詳細な説明は省略する。
【００４１】
前記各実施例では、反射部３ａは文字板３に設けてあったが、前記各実施例に限定されるものではなく、文字板３は平らな板状体とし、見返し板５の開口部４にリング状部材１９を設け、このリング状部材１９に反射部材１４側に傾斜した反射部２０を設けたものであっても良い。このリング状部材１９は、合成樹脂によって形成され、その表面が銀色に着色されている。このように構成したことによって、第２の光源１０の光が、指針２の回転中心部２ｂから反射部材１４に照射され、反射部材１４にて、反射部２０方向に反射拡散され、反射部２０を照明する。これによって、反射部材１４にて照明された反射部２０がカバー１３を介して、計器装置１の表示を視認することができる。これによって、前記各実施例と同様の作用効果を得ることができる。
【００４２】
なお、本実施例において、文字板３に前記各実施例のように、文字板３に反射部３ａを形成してあっても良い。このように構成することによって、より立体的な造形を視認することができる。
【００４３】
なお、前記各実施例では、第１の光源９と第２の光源１０とは、その発光色が異なるために、別々に設けていたが、前記実施例に限定されるものではなく、指針２と文字板３とを同じ色で照明する場合は、第１の光源９と第２の光源１０を共通としても良い。
【００４４】
また、前記各実施例では、目盛６と指針２とも、それぞれ、第１、第２の光源９、１０からの光を供給されて発光していたが、前記実施例に限定されるものではなく、目盛６と指針２とが、自ら発光するように構成したものであっても良い。この場合、文字板３は、エレクトロルミネセンスなどの発光素子にて形成し、目盛６が発光するようにしてもよい。また、指針２に関しても、指示部２ａと回転中心部２ｂの部分にエレクトルミネセンスを設け、自らが発光するようにしてもよい。
【００４５】
なお、前記各実施例では、カバー１３、１７は光透過率の低いものであったが、光透過率の高いカバーであっても、前記各実施例と同様の作用効果を得ることができる。
【００４６】
【発明の効果】
以上、本発明によれば、初期の目的を達成することができ、斬新な照明を行うことが可能な計器装置を提供することができる。
【図面の簡単な説明】
【図１】本発明の第１実施例の正面図である。
【図２】図１中のＡ−Ａ線の断面図である。
【図３】本発明の第２実施例の断面図である。
【図４】本発明の第３実施例の正面図である。
【符号の説明】
１    計器装置
２    指針
２ａ  指示部
２ｂ  回転中心部
２ｃ  ボス部
２ｄ  受光部
２ｅ  反射面
３    文字板
３ａ  反射部
４    開口部
５    見返し板
６    目盛
７    文字
８    回路基板
９    第１の光源
１０    第２の光源
１１    計器本体
１２    駆動軸
１３、１７  カバー
１４、１８  反射部材
１５    ピン
１６    貫通孔
１９    リング状部材
２０    反射部
【図１】
2004325299.tif 000003
【図２】
2004325299.tif 000004
【図３】
2004325299.tif 000005
【図４】
2004325299.tif 000006